(57)【特許請求の範囲】
【請求項１】
箱状体をシートの後方へ上向きに開放して配設するとシート後方物入れ部になり、この箱状体をシート上へ反転回動させるとシートを覆うシートカバーになる自動２輪車用物入れ装置において、
箱状体はシート上へ反転回動されたときシートとの間に物入れ空間を形成してシート上物入れ部になるとともに、
箱状体を反転状態で車体側へ固定するためのロック手段を設けたことを特徴とする自動２輪車用物入れ装置。
【請求項２】
シートによって開閉されるシート下物入れ部をシート下方に設けたことを特徴とする請求項１記載の自動２輪車用物入れ装置。
【発明の詳細な説明】
【０００１】
【産業上の利用分野】
本発明は自動２輪車用物入れ装置に関する。
【０００２】
【従来の技術】
実開昭６０−１９１５９０号には、箱状体を上向きに開放された状態でシートの後方へ回動自在に設けてシート後方物入れ部とし、駐車時にこの箱状体をシート上へ反転回動させてシートを覆うことによりシートカバーに転用する自動２輪車用物入れ装置が示されている。また、シート下方にシートによって開閉されるシート下物入れ部を設け、ここにヘルメットなどの物品を収容することも周知である。
【０００３】
【発明が解決しようとする課題】
ところで駐車して車体から離れるときヘルメットなどの大型の物品を収納する場合、シート下物入れ部がない場合又はあっても十分な容量がない場合は、シート上などに物品を安全に保管できれば好都合である。しかし未だこのようなものは存在せず、いわんや前記シートカバーではこのような目的に全く用をなさない。
【０００４】
さらに、十分な容量のシート下物入れ部がある場合であっても、例えば、雨天走行によって濡れたカッパをヘルメットと共にシート下物入れ部へ入れるとき、ヘルメットの内装が濡れないように注意しなければならず、できれば分離して収納したい場合がある。したがってシート下物入れ部と別の収納場所があれば物品によって収納場所を分離でき、かつ収納スペースも多くなるので便利である。
そこで本願発明の目的はこれらの要請を満足させることにある。
【０００５】
【課題を解決するための手段】
上記課題を解決するため、本願発明に係る自動２輪車用物入れ装置は、箱状体をシートの後方へ上向きに開放して配設するとシート後方物入れ部になり、この箱状体をシート上へ反転回動させるとシートを覆うシートカバーになる自動２輪車用物入れ装置において、箱状体はシート上へ反転回動されたときシートとの間に物入れ空間を形成してシート上物入れ部になるとともに、箱状体を反転状態で車体側へ固定するためのロック手段を設けたことを特徴とする。
【０００６】
さらに、シート下方にシートによって開閉されるシート下物入れ部を設けることもできる。
【０００７】
【作用】
走行時に箱状体をシート後方へ回動させると箱状体が上向きに開放された状態になってシート後方物入れ部となる。走行中などにはこのシート後方物入れ部に対して上部の開口部から物品を容易に出入できる。
【０００８】
駐車時に箱状体をシート上へ反転回動させると、箱状体はシートを覆ってシートカバーになるとともに、シートとの間に物入れ空間を形成してシート上物入れ部になる。したがって、駐車時における物品収納部をシート上方へ創出できる。
【０００９】
またこのシート上物入れ部にヘルメットなどの物品を入れてシート上へ載せ、ロック手段で箱状体を車体側へ施錠すると、駐車時にもシート上物入れ部内へ物品を安全に保管できる。
【００１０】
このとき、シートによって開閉されるシート下物入れ部をシート下方に設ければ、一緒に収納したくない物品をシート上物入れ部とシート下物入れ部へ分離して収納でき、かつ収納スペースが増大するので便利である。
【００１１】
【実施例】
図面に基づいて一実施例を説明する。図２は本実施例が適用されたスクータ型自動２輪車の側面を示し、前輪１と後輪２の間に位置するシート３はシート支持部４の上にヒンジ結合されて回動自在になっている。
【００１２】
シート支持部４内には上方へ開口するシート下物入れ部５が設けられ、シート３で開閉自在になっている。符号６はステップフロアであり、その後部はリヤカバー７へ接続している。リヤカバー７には後端部は後輪２の上方で略水平に後方へ張り出すキャリヤ８とシート３の後部へ上方へ突出する取付突部９が設けられている。
【００１３】
キャリヤ８の上には箱状体１０が支持される。箱状体１０は必要によりキャリヤ８へ係合するようにもできる。この箱状体１０は適宜なプラスチックや金属の板状又は網状などの材料で形成された上方へ開口する容器状をなし、シート後方物入れ部Ａになっている。
【００１４】
車体後半部を示す図１に明らかなように、箱状体１０は物入れ用ヒンジ１１で取付突部９へ取り付けられてシート３上へ反転回動自在であり、この反転回動状態では下向きに開口するシート上物入れ部Ｂになっている。
【００１５】
箱状体１０の開口部の大きさはシート上物入れ部Ｂのときシート３を内部へ収納できる程度の大きさであり、かつ内部空間はシート３上に置いたヘルメットＨをシート３と一緒に収納できる程度の大きさになっている。
【００１６】
但し、必ずしも箱状体１０はシート３を内部へ収納する必要はなく、箱状体１０の開口部をシート３の上面幅よりも若干小さくして、箱状体１０がシート３によって開口部を塞がれた状態でシート３上へ乗るようにしてもよい。
【００１７】
また、箱状体１０はこの反転回動状態で、シート支持部４の上部前端に設けられたロック手段１２で施錠され、車体側へ固定される。このロック手段１２の詳細は図１の丸囲み部Ｃを拡大して示す図３、及びその斜視図である図４に示してある。
【００１８】
これらの図に明らかなように、ロック手段１２はシート支持部４の上部に前方へ突出して設けられたハウジング１３、これに取り付けられたシリンダ錠１４、このシリンダ錠１４をイグニッションキー（図示省略）によって施錠又は解錠するとき一緒に回動する止め金１５及びこの止め金１５の係合溝１６が係止するように箱状体１０の前端部１７に設けられた係合部１８を備えている。
【００１９】
止め金１５は施錠時に上方へ回動してその係合溝１６が箱状体１０の係合部１８と係合することによりシート３の上へ反転回動された箱状体１０を施錠する。また、解錠すると下方へ回動してハウジング１３に形成された溝１９（図４）内へ収納される。
【００２０】
次に本実施例の作用を説明する。図２の走行時には箱状体１０をキャリヤ８上へ回動させて普通のシート後方物入れ部Ａとして使用する。このとき箱状体１０は上向きに開放されているので物品の出し入れが容易であり使用に便利である。
【００２１】
駐車して車体から離れる場合には、箱状体１０をシート３の上へ反転回動してロック手段１２のシリンダ錠１４をイグニッションキーで操作することにより止め金１５を回動させて箱状体１０の係合部１８と係合させて施錠する。
【００２２】
これにより箱状体１０はシート３を覆うのでシートカバーを兼ねるとともに、シート３の上方にシート上物入れ部Ｂを形成する。
【００２３】
そこで予めシート３上へ適当な物品、例えばヘルメットＨを乗せておけば、このヘルメットＨはシート上物入れ部Ｂ内へ収納され、再びキー操作でロック手段を１２を解錠しなければ箱状体１０を回動できないので安全に収納保管される。したがってシート３の上方に大きな安全な物品収納スペースを創出できる。
【００２４】
また、シート下物入れ部５にも種々の物品を収納可能であるから、例えば、雨天走行による濡れたカッパをシート下物入れ部５ヘ入れ、ヘルメットＨをシート上物入れ部Ｂへ分離して収納すればヘルメットＨの内装が濡れないで済む。
【００２５】
したがって、これらの物品を分離して収納できるような大きな物品収納スペースをシート３の上下に形成できて便利である。なお、ヘルメットＨと雨カッパの収納場所を逆にすることは任意にできる。
【００２６】
さらに、箱状体１０を反転させてシートカバーに利用すると、シート３の表面を汚れないようにできるだけでなく、駐車中に箱状体１０内へゴミなどを投げ入れられなくなる。
【００２７】
そのうえロック手段１２はシートロック手段としても役立つ。但し、専用のシートロック手段を別に設けることは任意にできる。
【００２８】
図５はロック手段のみを変更した別実施例であり、このロック手段は箱状体１０と一体に回動する物入れ用ヒンジ１１（図１）の回動部２０に嵌合穴２１を設け、箱状体１０がシート上へ反転回動した位置でこの嵌合穴２１へ前記したものと同様のシリンダ錠（図示省略）のロックピン２２を突出させて嵌合することにより施錠するようになっている。
【００２９】
また、箱状体１０をキャリヤ８上でシート後方物入れ部Ａ（図２）として使用するときも施錠できるようにすれば、シート後方物入れ部Ａ及びシート上物入れ部Ｂのいずれの使用状態でも単一のロック手段の操作で済むから便利である。
【００３０】
なお、本願発明は上記実施例に限定されず種々に応用可能である。例えば、シート下物入れ部は必ずしも設ける必要はなく、また適用する車両はスクータ型に限定されず鞍乗り型で比較的大きな物品収納スペースを必要とする実用タイプのバイクなどに適宜適用できる。
【００３１】
【発明の効果】
本願発明に係る自動２輪車用物入れ装置は、シート後方物入れ部をなす箱状体をシート上へ反転回動することにより、シートカバー兼シートとの間に物入れ空間を形成するシート上物入れ部にするとともに、箱状体を反転状態で車体側へ固定するためのロック手段を設けたことを特徴とする。
【００３２】
したがって、走行時に箱状体をシート後方へ回動させると箱状体が上向きに開放された状態になってシート後方物入れ部となる。走行中などにはこのシート後方物入れ部に対して上部の開口部から物品を容易に出入できる。
【００３３】
また、駐車時に箱状体をシート上へ反転回動させると、箱状体はシートを覆ってシートカバーになるとともに、シートとの間に物入れ空間を形成してシート上物入れ部になる。したがって、駐車時における物品収納部をシート上方へ創出できる。
【００３４】
このときシート上物入れ部にヘルメットなどの物品を入れてシート上へ載せ、ロック手段で箱状体を車体側へ施錠すると、駐車時にもシート上物入れ部内へ物品を安全に保管できる。
【００３５】
そのうえ、シートによって開閉されるシート下物入れ部をシート下方に設ければ、一緒に収納したくない物品をシート上物入れ部とシート下物入れ部へ分離して収納でき、かつ収納スペースが増大するので便利である。
【図面の簡単な説明】
【図１】実施例の要部側面図
【図２】実施例の適用された自動２輪車の全体側面図
【図３】ロック手段の拡大側面図
【図４】ロック手段の斜視図
【図５】ロック手段の別実施例を示す図
【符号の説明】
２：後輪、３：シート、５：シート下物入れ部、８：キャリヤ、９：取付部、１０：箱状体、１２：ロック手段、Ａ：シート後方物入れ部、Ｂ：シート上物入れ部
【図１】
0003547198.tif 000002
【図２】
0003547198.tif 000003
【図３】
0003547198.tif 000004
【図４】
0003547198.tif 000005
【図５】
0003547198.tif 000006